(57)【要約】  本出願の実施形態は、セルハンドオーバ方法、アクセスネットワーク装置及び端末装置を提供する。ＲＡＣＨ−ｌｅｓｓフローのセルハンドオーバでは、端末装置は、ＲＲＣ再構成完了メッセージの送信及び物理ダウンリンク制御チャネルの監視のためのビーム、及びビームにおけるアップリンクリソースを取得することができ、これにより、セルハンドオーバプロセスにおける遅延を低減させ、さらに５Ｇ  ＮＲ通信のサービス性能を満たすことができる。前記方法は、ターゲットアクセスネットワーク装置が前記ターゲットセルに対する前記端末装置の測定レポートを取得し、前記測定レポートがビーム測定情報を含むことと、前記ターゲットアクセスネットワーク装置が前記ビーム測定情報に基づき、前記端末装置が前記ターゲットセルにアクセスするための少なくとも１つのビーム、及び前記少なくとも１つのビームの各ビーム上のアップリンクアンライセンスリソースを構成することと、を含む。
2021514567.tif 000002
【特許請求の範囲】
【請求項１】
セルハンドオーバ方法であって、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートし、
前記方法は、
ターゲットアクセスネットワーク装置が前記ターゲットセルに対する前記端末装置の測定レポートを取得することであって、前記測定レポートがビーム測定情報を含むことと、
前記ターゲットアクセスネットワーク装置が前記ビーム測定情報に基づき、前記端末装置が前記ターゲットセルにアクセスするための少なくとも１つのビーム、及び前記少なくとも１つのビームの各ビーム上のアップリンクアンライセンスリソースを構成することと、を含むことを特徴とする前記セルハンドオーバ方法。
【請求項２】
前記方法はさらに、
前記ターゲットアクセスネットワーク装置は、前記端末装置が使用する前記各ビーム上の前記アップリンクアンライセンスリソースの時間領域情報を構成することを含むことを特徴とする
請求項１に記載の方法。
【請求項３】
前記時間領域情報は、サブフレーム（ＳＦ）番号、システムフレーム番号（ＳＦＮ）範囲、及び時間ウィンドウのうちの少なくとも１つを含むことを特徴とする
請求項２に記載の方法。
【請求項４】
前記方法はさらに、
前記ターゲットアクセスネットワーク装置がソースアクセスネットワーク装置へハンドオーバコマンドを送信することであって、前記ハンドオーバコマンドは、前記少なくとも１つのビームの識別子、前記少なくとも１つのビームの各ビーム上の前記アップリンクアンライセンスリソース、及び前記端末装置が使用する前記少なくとも１つのビームの各ビーム上の前記アップリンクアンライセンスリソースの時間領域情報を含むことを含むことを特徴とする
請求項２又は３に記載の方法。
【請求項５】
前記ビーム測定情報はビーム識別情報、及び前記ビーム識別情報によって識別されるビームの測定値を含むことを特徴とする
請求項１〜４のいずれか一項に記載の方法。
【請求項６】
前記ビーム測定情報は前記端末装置によって測定された前記ターゲットセルのビームの測定値ソートリストを含むことを特徴とする
請求項１〜４のいずれか一項に記載の方法。
【請求項７】
前記ターゲットアクセスネットワーク装置が前記ターゲットセルに対する前記端末装置の測定レポートを取得することは、
前記ターゲットアクセスネットワーク装置がＸｎインタフェースを介して、ソースアクセスネットワーク装置から送信された前記測定レポートを受信することを含むことを特徴とする
請求項１〜６のいずれか一項に記載の方法。
【請求項８】
前記ターゲットアクセスネットワーク装置がＸｎインタフェースを介して、ソースアクセスネットワーク装置から送信された前記測定レポートを受信することは、
前記ターゲットアクセスネットワーク装置がＸｎインタフェースを介して、前記ソースアクセスネットワーク装置から送信された前記測定レポートを含むハンドオーバリクエストを受信することを含むことを特徴とする
請求項７に記載の方法。
【請求項９】
前記ターゲットアクセスネットワーク装置が前記ターゲットセルに対する前記端末装置の測定レポートを取得することは、
前記ターゲットアクセスネットワーク装置がＮＧインタフェースを介して、コアネットワーク装置によってソースアクセスネットワーク装置から転送された前記測定レポートを受信することを含むことを特徴とする
請求項１〜６のいずれか一項に記載の方法。
【請求項１０】
前記ターゲットアクセスネットワーク装置がＮＧインタフェースを介して、コアネットワーク装置によってソースアクセスネットワーク装置から転送された前記測定レポートを受信することは、
前記ターゲットアクセスネットワーク装置がＮＧインタフェースを介して、前記コアネットワーク装置によって送信された前記測定レポートを含むハンドオーバ準備メッセージを受信することを含むことを特徴とする
請求項９に記載の方法。
【請求項１１】
前記ターゲットアクセスネットワーク装置が前記ビーム測定情報に基づき、前記端末装置が前記ターゲットセルにアクセスするための少なくとも１つのビームを構成することは、
前記ターゲットアクセスネットワーク装置が前記ビーム測定情報、前記端末装置の移動速度、及び前記端末装置によって測定された前記ターゲットセルのビームのカバレッジに基づき、前記少なくとも１つのビームを構成することを含むことを特徴とする
請求項１〜１０のいずれか一項に記載の方法。
【請求項１２】
セルハンドオーバ方法であって、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートし、
前記方法は、
ソースアクセスネットワーク装置が前記端末装置から前記ターゲットセルに対する第一の測定レポートを受信することであって、前記第一の測定レポートがビーム測定情報を含むことと、
前記ソースアクセスネットワーク装置がターゲットアクセスネットワーク装置へ第二の測定レポートを送信すること、又は、前記コアネットワーク装置が前記測定レポートを前記ターゲットアクセスネットワーク装置に転送するように、前記ソースアクセスネットワーク装置がコアネットワーク装置へ前記第二の測定レポートを送信することであって、ここで、前記第二の測定レポートが前記第一の測定レポートであり、又は前記第二の測定レポートが前記端末装置によって測定された前記ターゲットセルのビームの測定値ソートリストを含む測定レポートであることと、を含むことを特徴とする前記セルハンドオーバ方法。
【請求項１３】
前記方法はさらに、
前記ソースアクセスネットワーク装置が前記ターゲットアクセスネットワーク装置によって送信されたハンドオーバコマンドを受信することであって、前記ハンドオーバコマンドは、少なくとも１つのビームの識別子、前記少なくとも１つのビームのうちの各ビームにおけるアップリンクアンライセンスリソース、及び前記端末装置が前記少なくとも１つのビームのうちの各ビームにおける前記アップリンクアンライセンスリソースを使用する時間領域情報を含み、前記少なくとも１つのビームと前記少なくとも１つのビームのうちの各ビームにおけるアップリンクアンライセンスリソースが前記ビーム測定情報に基づいて確定されることと、
前記ソースアクセスネットワーク装置が前記端末装置へ前記ハンドオーバコマンドを送信することと、を含むことを特徴とする
請求項１２に記載の方法。
【請求項１４】
前記時間領域情報は、サブフレーム（ＳＦ）番号、システムフレーム番号（ＳＦＮ）範囲、及び時間ウィンドウのうちの少なくとも１つを含むことを特徴とする
請求項１３に記載の方法。
【請求項１５】
前記ビーム測定情報はビーム識別情報、及び前記ビーム識別情報によって識別されるビームの測定値を含むことを特徴とする
請求項１２〜１４のいずれか一項に記載の方法。
【請求項１６】
前記ソースアクセスネットワーク装置がターゲットアクセスネットワーク装置へ第二の測定レポートを送信することは、
前記ソースアクセスネットワーク装置がＸｎインタフェースを介して前記第二の測定レポートを含むハンドオーバリクエストを前記ターゲットアクセスネットワーク装置に送信することを含むことを特徴とする
請求項１２〜１５のいずれか一項に記載の方法。
【請求項１７】
前記ソースアクセスネットワーク装置がコアネットワーク装置へ前記第二の測定レポートを送信することは、
前記コアネットワーク装置がＮＧインタフェースを介して前記第二の測定レポートを含むハンドオーバ準備メッセージを前記ターゲットアクセスネットワーク装置へ送信するように、前記ソースアクセスネットワーク装置が前記コアネットワーク装置へ前記第二の測定レポートを送信することを含むことを特徴とする
請求項１２〜１５のいずれか一項に記載の方法。
【請求項１８】
前記ソースアクセスネットワーク装置が前記端末装置から前記第一の測定レポートを受信する前に、前記方法はさらに、
前記ソースアクセスネットワーク装置が測定構成情報を前記端末装置に送信することであって、前記測定構成情報が前記ターゲットセルを測定し、前記第一の測定レポートを報告するように前記端末装置に指示することを含むことを特徴とする
請求項１２〜１７のいずれか一項に記載の方法。
【請求項１９】
セルハンドオーバ方法であって、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートし、
前記方法は、
前記端末装置が前記ターゲットセルを測定し、前記ターゲットセルに対する測定レポートを生成することであって、前記測定レポートがビーム測定情報を含むことと、
前記端末装置がソースアクセスネットワーク装置へ前記測定レポートを送信することと、
前記端末装置が前記ソースアクセスネットワーク装置によって送信されたハンドオーバコマンドを受信することであって、前記ハンドオーバコマンドは、少なくとも１つのビームの識別子、前記少なくとも１つのビームのうちの各ビームにおけるアップリンクアンライセンスリソース、及び前記端末装置が前記少なくとも１つのビームのうちの各ビームにおける前記アップリンクアンライセンスリソースを使用する時間領域情報を含み、前記少なくとも１つのビームと前記少なくとも１つのビームのうちの各ビームにおけるアップリンクアンライセンスリソースが前記ビーム測定情報に基づいて確定されることと、
前記端末装置が前記ハンドオーバコマンドに応じて、前記少なくとも１つのビームで無線リソース制御（ＲＲＣ）再構成完了メッセージを送信し、及び／又は、前記少なくとも１つのビームでＰＤＣＣＨを監視することと、を含むことを特徴とする前記セルハンドオーバ方法。
【請求項２０】
前記ビーム測定情報はビーム識別情報、及び前記ビーム識別情報によって識別されるビームの測定値を含むことを特徴とする
請求項１９に記載の方法。
【請求項２１】
前記時間領域情報は、サブフレーム（ＳＦ）番号、システムフレーム番号（ＳＦＮ）範囲、及び時間ウィンドウのうちの少なくとも１つを含むことを特徴とする
請求項１９又は２０に記載の方法。
【請求項２２】
アクセスネットワーク装置であって、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートし、
前記アクセスネットワーク装置は、
前記ターゲットセルに対する前記端末装置の測定レポートを取得するように構成され、前記測定レポートがビーム測定情報を含む通信ユニットと、
前記ビーム測定情報に基づき、前記端末装置が前記ターゲットセルにアクセスするための少なくとも１つのビーム、及び前記少なくとも１つのビームの各ビーム上のアップリンクアンライセンスリソースを構成するように構成される処理ユニットと、を備えることを特徴とする前記アクセスネットワーク装置。
【請求項２３】
前記処理ユニットはさらに前記端末装置が使用する前記各ビーム上の前記アップリンクアンライセンスリソースの時間領域情報を構成するように構成されることを特徴とする
請求項２２に記載のアクセスネットワーク装置。
【請求項２４】
前記時間領域情報は、サブフレーム（ＳＦ）番号、システムフレーム番号（ＳＦＮ）範囲、及び時間ウィンドウのうちの少なくとも１つを含むことを特徴とする
請求項２３に記載のアクセスネットワーク装置。
【請求項２５】
前記通信ユニットはさらにソースアクセスネットワーク装置へハンドオーバコマンドを送信するように構成され、前記ハンドオーバコマンドに前記少なくとも１つのビームの識別子、前記少なくとも１つのビームの各ビーム上の前記アップリンクアンライセンスリソース、及び前記端末装置が使用する前記少なくとも１つのビームの各ビーム上の前記アップリンクアンライセンスリソースの時間領域情報を含むことを特徴とする
請求項２３又は２４に記載のアクセスネットワーク装置。
【請求項２６】
前記ビーム測定情報はビーム識別情報、及び前記ビーム識別情報によって識別されるビームの測定値を含むことを特徴とする
請求項２３〜２５のいずれか一項に記載のアクセスネットワーク装置。
【請求項２７】
前記ビーム測定情報は前記端末装置によって測定された前記ターゲットセルのビームの測定値ソートリストを含むことを特徴とする
請求項２３〜２６のいずれか一項に記載のアクセスネットワーク装置。
【請求項２８】
前記通信ユニットはさらに、
Ｘｎインタフェースを介して、ソースアクセスネットワーク装置から送信された前記測定レポートを受信するように構成されることを特徴とする
請求項２３〜２７のいずれか一項に記載のアクセスネットワーク装置。
【請求項２９】
前記通信ユニットはさらに、
Ｘｎインタフェースを介して、前記ソースアクセスネットワーク装置から送信された前記測定レポートを含むハンドオーバリクエストを受信するように構成されることを特徴とする
請求項２８に記載のアクセスネットワーク装置。
【請求項３０】
前記通信ユニットはさらに、
ＮＧインタフェースを介して、コアネットワーク装置によってソースアクセスネットワーク装置から転送された前記測定レポートを受信するように構成されることを特徴とする
請求項２３〜２７のいずれか一項に記載のアクセスネットワーク装置。
【請求項３１】
前記通信ユニットはさらに、
ＮＧインタフェースを介して、前記コアネットワーク装置によって送信された前記測定レポートを含むハンドオーバ準備メッセージを受信するように構成されることを特徴とする
請求項３０に記載のアクセスネットワーク装置。
【請求項３２】
前記処理ユニットはさらに、
前記ビーム測定情報、前記端末装置の移動速度、及び前記端末装置によって測定された前記ターゲットセルのビームのカバレッジに基づき、前記少なくとも１つのビームを構成するように構成されることを特徴とする
請求項２３〜３１のいずれか一項に記載のアクセスネットワーク装置。
【請求項３３】
アクセスネットワーク装置であって、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートし、
前記アクセスネットワーク装置は、
前記端末装置から前記ターゲットセルに対する第一の測定レポートを受信するように構成され、前記第一の測定レポートがビーム測定情報を含む通信ユニットを備え、
前記通信ユニットは、さらにターゲットアクセスネットワーク装置へ第二の測定レポートを送信し、又は、前記コアネットワーク装置が前記測定レポートを前記ターゲットアクセスネットワーク装置に転送するように、コアネットワーク装置へ前記第二の測定レポートを送信するように構成され、ここで、前記第二の測定レポートが前記第一の測定レポートであり、又は前記第二の測定レポートが前記端末装置によって測定された前記ターゲットセルのビームの測定値ソートリストを含む測定レポートである、前記アクセスネットワーク装置。
【請求項３４】
前記通信ユニットはさらに前記ターゲットアクセスネットワーク装置によって送信されたハンドオーバコマンドを受信するように構成され、前記ハンドオーバコマンドは、少なくとも１つのビームの識別子、前記少なくとも１つのビームのうちの各ビームにおけるアップリンクアンライセンスリソース、及び前記端末装置が前記少なくとも１つのビームのうちの各ビームにおける前記アップリンクアンライセンスリソースを使用する時間領域情報を含み、前記少なくとも１つのビームと前記少なくとも１つのビームのうちの各ビームにおけるアップリンクアンライセンスリソースが前記ビーム測定情報に基づいて確定され、
前記通信ユニットはさらに前記端末装置へ前記ハンドオーバコマンドを送信するように構成されることを特徴とする
請求項３３に記載のアクセスネットワーク装置。
【請求項３５】
前記時間領域情報は、サブフレーム（ＳＦ）番号、システムフレーム番号（ＳＦＮ）範囲、及び時間ウィンドウのうちの少なくとも１つを含むことを特徴とする
請求項３４に記載のアクセスネットワーク装置。
【請求項３６】
前記ビーム測定情報はビーム識別情報、及び前記ビーム識別情報によって識別されるビームの測定値を含むことを特徴とする
請求項３３〜３５のいずれか一項に記載のアクセスネットワーク装置。
【請求項３７】
前記通信ユニットはさらに、
Ｘｎインタフェースを介して前記第二の測定レポートを含むハンドオーバリクエストを前記ターゲットアクセスネットワーク装置に送信するように構成されることを特徴とする
請求項３４〜３６のいずれか一項に記載のアクセスネットワーク装置。
【請求項３８】
前記通信ユニットはさらに、
前記コアネットワーク装置がＮＧインタフェースを介して前記第二の測定レポートを含むハンドオーバ準備メッセージを前記ターゲットアクセスネットワーク装置へ送信するように、前記コアネットワーク装置へ前記第二の測定レポートを送信するように構成されることを特徴とする
請求項３４〜３６のいずれか一項に記載のアクセスネットワーク装置。
【請求項３９】
前記通信ユニットが前記端末装置から前記第一の測定レポートを受信する前に、前記通信ユニットはさらに前記端末装置へ測定構成情報を送信するように構成され、前記測定構成情報が前記ターゲットセルを測定し、前記第一の測定レポートを報告するように前記端末装置に指示することを特徴とする
請求項３３〜３８のいずれか一項に記載のアクセスネットワーク装置。
【請求項４０】
端末装置であって、第５世代移動通信技術（５Ｇ）通信システムにおけるランダムアクセスチャネルレス（ＲＡＣＨ−ｌｅｓｓ）フローのセルハンドオーバに適用され、前記端末装置がソースセルからターゲットセルにハンドオーバする必要があり、前記ターゲットセルがマルチビーム通信をサポートし、
前記端末装置は、
前記ターゲットセルを測定し、前記ターゲットセルに対する測定レポートを生成するように構成され、前記測定レポートがビーム測定情報を含む処理ユニットと、
ソースアクセスネットワーク装置へ前記測定レポートを送信するように構成される通信ユニットと、を備え、
前記通信ユニットはさらに前記ソースアクセスネットワーク装置によって送信されたハンドオーバコマンドを受信するように構成され、前記ハンドオーバコマンドは、少なくとも１つのビームの識別子、前記少なくとも１つのビームのうちの各ビームにおけるアップリンクアンライセンスリソース、及び前記端末装置が前記少なくとも１つのビームのうちの各ビームにおける前記アップリンクアンライセンスリソースを使用する時間領域情報を含み、前記少なくとも１つのビームと前記少なくとも１つのビームのうちの各ビームにおけるアップリンクアンライセンスリソースが前記ビーム測定情報に基づいて確定され、
前記処理ユニットはさらに前記ハンドオーバコマンドに応じて、前記少なくとも１つのビームで無線リソース制御（ＲＲＣ）再構成完了メッセージを送信し、及び／又は、前記少なくとも１つのビームでダウンリンク制御チャネル（ＰＤＣＣＨ）を監視するように構成されることを特徴とする前記端末装置。
【請求項４１】
前記ビーム測定情報はビーム識別情報、及び前記ビーム識別情報によって識別されるビームの測定値を含むことを特徴とする
請求項４０に記載の端末装置。
【請求項４２】
前記時間領域情報は、サブフレーム（ＳＦ）番号、システムフレーム番号（ＳＦＮ）範囲、及び時間ウィンドウのうちの少なくとも１つを含むことを特徴とする
請求項４０又は４１に記載の端末装置。
【発明の詳細な説明】
【技術分野】
【０００１】
本出願は、通信分野に関し、且つより具体的には、セルハンドオーバ方法、アクセスネットワーク装置及び端末装置に関する。
【背景技術】
【０００２】
長期進化（ＬＴＥ：Ｌｏｎｇ  Ｔｅｒｍ  Ｅｖｏｌｕｔｉｏｎ）通信システムでは、ランダムアクセスチャネルレス（ＲＡＣＨ−ｌｅｓｓ：Ｒａｎｄｏｍ  Ａｃｃｅｓｓ  Ｃｈａｎｎｅｌ  Ｌｅｓｓ）フローのセルハンドオーバ（ｈａｎｄｏｖｅｒ）に対して、ソースセル（ｓｏｕｒｃｅ  ｃｅｌｌ）からターゲットセル（ｔａｒｇｅｔ  ｃｅｌｌ）への端末装置のハンドオーバプロセスに、ターゲットアクセスネットワーク装置（ｔａｒｇｅｔ  ｅｆＮＢ）は、ハンドオーバコマンド（ｈａｎｄｏｖｅｒ  ｃｏｍｍａｎｄ）に、端末装置がターゲットアクセスネットワーク装置へ無線リソース制御（ＲＲＣ：Ｒａｄｉｏ  Ｒｅｓｏｕｒｃｅ  Ｃｏｎｔｒｏｌ）再構成完了メッセージを送信するためのアップリンクリソースを構成する。第５世代移動通信技術の新しい無線（５Ｇ  ＮＲ：５−Ｇｅｎｅｒａｔｉｏｎ  Ｎｅｗ  Ｒａｄｉｏ）では、ターゲットセルはマルチビーム（ｂｅａｍ）通信をサポートすることができるが、マルチビーム（ｂｅａｍ）の場合、ターゲットランダムアクセスチャネル（ＲＡＣＨ：Ｒａｎｄｏｍ  Ａｃｃｅｓｓ  Ｃｈａｎｎｅｌ）リソースとビーム（ｂｅａｍ）が関連付けられているため、ＬＴＥにおけるＲＡＣＨ−ｌｅｓｓプロセスにより、端末装置はターゲットアクセスネットワーク装置へＲＲＣ再構成完了メッセージを送信するためのビーム（ｂｅａｍ）、及びビーム（ｂｅａｍ）におけるアップリンクリソースを確定することができない。
【発明の概要】
【発明が解決しようとする課題】
【０００３】
本出願の実施形態は、セルハンドオーバ方法、アクセスネットワーク装置及び端末装置を提供する。ＲＡＣＨ−ｌｅｓｓフローのセルハンドオーバでは、端末装置はＲＲＣ再構成完了メッセージの送信及び物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の監視のためのビーム、及びビームにおけるアップリンクリソースを取得することができ、これにより、セルハンドオーバプロセスにおける遅延を低減させ、さらに５Ｇ  ＮＲ通信のサービス性能を満たすことができる。
【課題を解決するための手段】
【０００４】
第一の態様では、本出願の実施例は、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートするセルハンドオーバ方法を提供する。
【０００５】
前記方法は、
ターゲットアクセスネットワーク装置が前記ターゲットセルに対する前記端末装置の測定レポートを取得し、前記測定レポートがビーム測定情報を含むことと、
前記ターゲットアクセスネットワーク装置が前記ビーム測定情報に基づき、前記端末装置が前記ターゲットセルにアクセスするための少なくとも１つのビーム、及び前記少なくとも１つのビームの各ビーム上のアップリンクアンライセンスリソースを構成することと、を含む。
【０００６】
したがって、本出願の実施形態のセルハンドオーバ方法では、ターゲットアクセスネットワーク装置は、ターゲットセルに対する端末装置の測定レポートにおけるビーム測定情報に基づき、端末装置がターゲットセルにアクセスするための少なくとも１つのビームを構成し、少なくとも１つのビームのうちの各ビームにアップリンクアンライセンスリソースを構成し、これにより、端末装置はＲＲＣ再構成完了メッセージの送信及びＰＤＣＣＨの監視のためのビーム、及びビームにおけるアンライセンスアップリンクリソースを取得することができ、さらに、セルハンドオーバプロセスにおける遅延を低減させ、５Ｇ  ＮＲ通信のサービス性能を満たすことができる。
【０００７】
選択可能に、第一の態様の一つの実施形態では、前記方法はさらに、
前記ターゲットアクセスネットワーク装置が、前記端末装置が使用する前記各ビーム上の前記アップリンクアンライセンスリソースの時間領域情報を構成することを含む。
【０００８】
選択可能に、第一の態様の一つの実施形態では、前記時間領域情報は、サブフレーム（ＳＦ：Ｓｕｂ  ｆｒａｍｅ）番号、システムフレーム番号（ＳＦＮ：ｙｓｔｅｍ  Ｆｒａｍｅ  Ｎｕｍｂｅｒ）範囲、及び時間ウィンドウのうちの少なくとも１つを含む。
【０００９】
したがって、端末装置は、ＲＲＣ再構成完了メッセージの送信及びＰＤＣＣＨの監視のためのビーム、及びビームにおけるアップリンクリソースを取得することに基づき、ビームにおけるアップリンクアンライセンスリソースを使用する時間領域情報を取得することができ、これにより、アンライセンスアップリンクリソースを効果的に利用することができる。
【００１０】
選択可能に、第一の態様の一つの実施形態では、前記方法はさらに、
前記ターゲットアクセスネットワーク装置がソースアクセスネットワーク装置へハンドオーバコマンドを送信することであって、前記ハンドオーバコマンドに前記少なくとも１つのビームの識別子、前記少なくとも１つのビームの各ビーム上の前記アップリンクアンライセンスリソース、及び前記端末装置が使用する前記少なくとも１つのビームの各ビーム上の前記アップリンクアンライセンスリソースの時間領域情報を含むことを含む。
【００１１】
選択可能に、第一の態様の一つの実施形態では、前記ビーム測定情報はビーム識別情報、及び前記ビーム識別情報によって識別されるビームの測定値を含む。
【００１２】
選択可能に、第一の態様の一つの実施形態では、前記ビーム測定情報は、前記端末装置によって測定された前記ターゲットセルのビームの測定値ソートリストを含む。
【００１３】
選択可能に、第一の態様の一つの実現形態では、前記ターゲットアクセスネットワーク装置が前記ターゲットセルに対する前記端末装置の測定レポートを取得することは、
前記ターゲットアクセスネットワーク装置がＸｎインタフェースを介して、ソースアクセスネットワーク装置から送信された前記測定レポートを受信することを含む。
【００１４】
選択可能に、第一の態様の一つの実現形態では、前記ターゲットアクセスネットワーク装置がＸｎインタフェースを介して、ソースアクセスネットワーク装置から送信された前記測定レポートを受信することは、
前記ターゲットアクセスネットワーク装置がＸｎインタフェースを介して、前記ソースアクセスネットワーク装置から送信された前記測定レポートを含むハンドオーバリクエストを受信することを含む。
【００１５】
選択可能に、第一の態様の一つの実現形態では、前記ターゲットアクセスネットワーク装置が前記ターゲットセルに対する前記端末装置の測定レポートを取得することは、
前記ターゲットアクセスネットワーク装置がＮＧ（Ｎｅｘｔ−Ｇｅｎｅｒａｔｉｏｎ）インタフェースを介して、コアネットワーク装置によってソースアクセスネットワーク装置から転送された前記測定レポートを受信することを含む。
【００１６】
選択可能に、第一の態様の一つの実現形態では、前記ターゲットアクセスネットワーク装置がＮＧインタフェースを介して、コアネットワーク装置によってソースアクセスネットワーク装置から転送された前記測定レポートを受信することは、
前記ターゲットアクセスネットワーク装置がＮＧインタフェースを介して、前記コアネットワーク装置によって送信された前記測定レポートを含むハンドオーバ準備メッセージを受信することを含む。
【００１７】
選択可能に、第一の態様の一つの実現形態では、前記ターゲットアクセスネットワーク装置が前記ビーム測定情報に基づき、前記端末装置が前記ターゲットセルにアクセスするための少なくとも１つのビームを構成することは、
前記ターゲットアクセスネットワーク装置が前記ビーム測定情報、前記端末装置の移動速度、及び前記端末装置によって測定された前記ターゲットセルのビームのカバレッジに基づき、前記少なくとも１つのビームを構成することを含む。
【００１８】
したがって、ターゲットアクセスネットワーク装置は、少なくとも１つのビームを構成する時に、ビーム測定情報、端末装置の移動速度、及び端末装置によって測定されたターゲットセルのビームのカバレッジを包括的に考慮することができ、これにより、ＲＲＣ再構成完了メッセージの送信及びＰＤＣＣＨの監視のためのビームをより正確に確定することができる。
【００１９】
第二の態様では、本出願の実施例は、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートするセルハンドオーバ方法であって、
ソースアクセスネットワーク装置が前記端末装置から前記ターゲットセルに対する第一の測定レポートを受信することであって、前記第一の測定レポートがビーム測定情報を含むことと、
前記ソースアクセスネットワーク装置がターゲットアクセスネットワーク装置へ第二の測定レポートを送信すること、又は、前記コアネットワーク装置が前記測定レポートを前記ターゲットアクセスネットワーク装置に転送するように、前記ソースアクセスネットワーク装置がコアネットワーク装置へ前記第二の測定レポートを送信することであって、ここで、前記第二の測定レポートが前記第一の測定レポートであり、又は前記第二の測定レポートが前記端末装置によって測定された前記ターゲットセルのビームの測定値ソートリストを含む測定レポートであることと、を含むことを特徴とするセルハンドオーバ方法を提供する。
【００２０】
したがって、本出願の実施形態のセルハンドオーバ方法では、ソースアクセスネットワーク装置は、ターゲットアクセスネットワーク装置へ第二の測定レポートを送信し、ターゲットアクセスネットワーク装置は、第二の測定レポートにおけるビームの測定情報又は端末装置によって測定されたターゲットセルのビームの測定値ソートリストに基づき、端末装置がターゲットセルにアクセスするための少なくとも１つのビームを構成し、これにより、端末装置は、ＲＲＣ再構成完了メッセージの送信及びＰＤＣＣＨの監視のためのビーム、及びビームにおけるアンライセンスアップリンクリソースを取得することができ、さらに、セルハンドオーバプロセスにおける遅延を低減させ、５Ｇ  ＮＲ通信のサービス性能を満たすことができる。
【００２１】
選択可能に、第二の態様の一つの実施形態では、前記方法はさらに、
前記ソースアクセスネットワーク装置が前記ターゲットアクセスネットワーク装置によって送信されたハンドオーバコマンドを受信することであって、前記ハンドオーバコマンドは、少なくとも１つのビームの識別子、前記少なくとも１つのビームのうちの各ビームにおけるアップリンクアンライセンスリソース、及び前記端末装置が前記少なくとも１つのビームのうちの各ビームにおける前記アップリンクアンライセンスリソースを使用する時間領域情報を含み、ここで、前記少なくとも１つのビームと前記少なくとも１つのビームのうちの各ビームにおけるアップリンクアンライセンスリソースが前記ビーム測定情報に基づいて確定されることと、
前記ソースアクセスネットワーク装置が前記端末装置へ前記ハンドオーバコマンドを送信することと、を含む。
【００２２】
選択可能に、第二の態様の一つの実施形態では、前記時間領域情報は、ＳＦ番号、ＳＦＮ範囲、及び時間ウィンドウのうちの少なくとも１つを含む。
【００２３】
選択可能に、第二の態様の一つの実施形態では、前記ビーム測定情報はビーム識別情報、及び前記ビーム識別情報によって識別されるビームの測定値を含む。
【００２４】
選択可能に、第二の態様の一つの実施形態では、前記ソースアクセスネットワーク装置がターゲットアクセスネットワーク装置へ第二の測定レポートを送信することは、
前記ソースアクセスネットワーク装置が前記ターゲットアクセスネットワーク装置へＸｎインタフェースを介して前記第二の測定レポートを含むハンドオーバリクエストを送信することを含む。
【００２５】
選択可能に、第二の態様の一つの実施形態では、前記ソースアクセスネットワーク装置がコアネットワーク装置へ前記第二の測定レポートを送信することは、
前記コアネットワーク装置がＮＧインタフェースを介して前記第二の測定レポートを含むハンドオーバ準備メッセージを前記ターゲットアクセスネットワーク装置へ送信するように、前記ソースアクセスネットワーク装置が前記コアネットワーク装置へ前記第二の測定レポートを送信することを含む。
【００２６】
選択可能に、第二の態様の一つの実施形態では、前記ソースアクセスネットワーク装置が前記端末装置から前記第一の測定レポートを受信する前に、前記方法は、さらに、
前記ソースアクセスネットワーク装置が測定構成情報を前記端末装置に送信し、前記測定構成情報が前記ターゲットセルを測定することであって、前記第一の測定レポートを報告するように前記端末装置に指示することを含む。
【００２７】
第三の態様では、本出願の実施例は、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートするセルハンドオーバ方法であって、
前記端末装置が前記ターゲットセルを測定し、前記ターゲットセルに対する測定レポートを生成することであって、前記測定レポートがビーム測定情報を含むことと、
前記端末装置がソースアクセスネットワーク装置へ前記測定レポートを送信することと、
前記端末装置が前記ソースアクセスネットワーク装置によって送信されたハンドオーバコマンドを受信することであって、前記ハンドオーバコマンドは、少なくとも１つのビームの識別子、前記少なくとも１つのビームのうちの各ビームにおけるアップリンクアンライセンスリソース、及び前記端末装置が前記少なくとも１つのビームのうちの各ビームにおける前記アップリンクアンライセンスリソースを使用する時間領域情報を含み、ここで、前記少なくとも１つのビームと前記少なくとも１つのビームのうちの各ビームにおけるアップリンクアンライセンスリソースが前記ビーム測定情報に基づいて確定されることと、
前記端末装置が前記ハンドオーバコマンドに応じて、前記少なくとも１つのビームでＲＲＣ再構成完了メッセージを送信し、及び／又は、前記少なくとも１つのビームでＰＤＣＣＨを監視することと、を含むことを特徴とするセルハンドオーバ方法を提供する。
【００２８】
したがって、本出願の実施形態のセルハンドオーバ方法では、端末装置は、ハンドオーバコマンドに含まれる、端末装置がターゲットセルにアクセスするための少なくとも１つのビームに応じて、少なくとも１つのビームのうちの各ビームにアップリンクアンライセンスリソースを構成し、これにより、ＲＲＣ再構成完了メッセージの送信及びＰＤＣＣＨの監視のためのビーム、及びビームにおけるアンライセンスアップリンクリソースを取得することができ、さらに、セルハンドオーバプロセスにおける遅延を低減させ、５Ｇ  ＮＲ通信のサービス性能を満たすことができる。
【００２９】
選択可能に、第三の態様の一つの実施形態では、前記ビーム測定情報はビーム識別情報、及び前記ビーム識別情報によって識別されるビームの測定値を含む。
【００３０】
選択可能に、第三の態様の一つの実施形態では、前記時間領域情報は、ＳＦ番号、ＳＦＮ範囲、及び時間ウィンドウのうちの少なくとも１つを含む。
【００３１】
第四の態様では、本出願の実施例によるアクセスネットワーク装置は、第一の態様又は第一の態様のいずれかの選択可能な実施形態における方法を実行するためのモジュール又はユニットを備えることができる。
【００３２】
第五の態様では、本出願の実施例によるアクセスネットワーク装置は、第二の態様又は第二の態様のいずれかの選択可能な実施形態における方法を実行するためのモジュール又はユニットを備えることができる。
【００３３】
第六の態様では、本出願の実施例による端末装置は、第三の態様又は第三の態様のいずれかの選択可能な実施形態における方法を実行するためのモジュール又はユニットを備えることができる。
【００３４】
第七の態様によるアクセスネットワーク装置は、プロセッサ、メモリと通信インタフェースを備える。プロセッサとメモリは通信インタフェースに接続される。メモリはコマンドを記憶するように構成され、プロセッサは前記コマンドを実行するように構成され、通信インタフェースはプロセッサの制御で他のネットワーク要素と通信するように構成される。前記プロセッサが前記メモリに記憶されたコマンドを実行する場合、実行により前記プロセッサは第一の態様又は第一の態様のいずれかの可能な実施形態における方法を実行する。
【００３５】
第八の態様によるアクセスネットワーク装置は、プロセッサ、メモリと通信インタフェースを備える。プロセッサとメモリは通信インタフェースに接続される。メモリはコマンドを記憶するように構成され、プロセッサは前記コマンドを実行するように構成され、通信インタフェースはプロセッサの制御で他のネットワーク要素と通信するように構成される。前記プロセッサが前記メモリに記憶されたコマンドを実行する場合、実行により前記プロセッサは第二の態様又は第二の態様のいずれかの可能な実施形態における方法を実行する。
【００３６】
第九の態様による端末装置は、プロセッサ、メモリと通信インタフェースを備える。プロセッサとメモリは通信インタフェースに接続される。メモリはコマンドを記憶するように構成され、プロセッサは前記コマンドを実行するように構成され、通信インタフェースはプロセッサの制御で他のネットワーク要素と通信するように構成される。前記プロセッサが前記メモリに記憶されたコマンドを実行する場合、実行により前記プロセッサは第三の態様又は第三の態様のいずれかの可能な実施形態における方法を実行する。
【００３７】
第十の態様によるコンピュータ記憶媒体は、上記の様々な態様で記載される方法を実行するようにコンピュータに指示するためのコマンドに用いられるプログラムコードを記憶する。
【００３８】
第十一の態様によるコマンドを含むコンピュータプログラム製品は、コンピュータで実行される場合、コンピュータが上記の様々な態様に記載される方法を実行する。
【図面の簡単な説明】
【００３９】
【図１】本出願の実施形態の一つの応用シナリオを示す概略図である。
【図２】本出願の一実施形態によるセルハンドオーバ方法の概略フローチャートである。
【図３】本出願の他の実施形態によるセルハンドオーバ方法の概略フローチャートである。
【図４】本出願の他の実施形態によるセルハンドオーバ方法の概略フローチャートである。
【図５】本出願の実施形態によるセルハンドオーバを示す概略図である。
【図６】本出願の実施形態によるアクセスネットワーク装置の概略ブロック図である。
【図７】本出願の実施形態による他のアクセスネットワーク装置の概略ブロック図である。
【図８】本出願の実施形態による端末装置を示す概略ブロック図である。
【図９】本出願の実施形態による通信装置を示す概略ブロック図である。
【図１０】本出願の実施形態によるシステムチップの概略構造図である。
【発明を実施するための形態】
【００４０】
以下に本出願の実施形態における図面を組み合わせて、本出願の実施形態における技術的解決策を明確且つ全面的に説明する。
【００４１】
本出願の実施形態の技術的解決策は５Ｇ  ＮＲ通信システムに適用されてもよい。
【００４２】
図１は本発明の実施形態の一つの応用シナリオを示す概略図である。
【００４３】
図１に示されるように、無線通信システム１００はアクセスネットワーク装置１１０を備えることができる。アクセスネットワーク装置１１０は、端末装置と通信する装置であってもよい。アクセスネットワーク装置１１０は、特定の地理的エリアに通信カバレッジを提供することができ、そして前記カバレッジエリアに位置する端末装置（例えばＵＥ）と通信を行うことができる。選択可能に、前記アクセスネットワーク装置１１０は、ＮＲシステムにおける基地局（ｇＮＢ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は前記ネットワーク装置は、中継局、アクセスポイント、車載デバイス、ウェアラブルデバイス、又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００４４】
前記無線通信システム１００はさらにアクセスネットワーク装置１１０のカバレッジに位置する少なくとも一つの端末装置１２０を備える。端末装置１２０は移動型又は固定型でもよい。選択可能に、端末装置１２０はアクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００４５】
図１に１つのアクセスネットワーク装置と２つの端末装置が例示的に示され、選択可能に、前記無線通信システム１００は、複数のアクセスネットワーク装置を備えることができ且つ各アクセスネットワーク装置のカバレッジで他の数の端末装置を備えることができ、本出願の実施形態はこれに限定されない。
【００４６】
選択可能に、前記無線通信システム１００はさらにアクセス及び移動管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ：Ｓｅｓｓｉｏｎ  Ｍａｎａｇｅｍｅｎｔ  Ｆｕｎｃｔｉｏｎ）、統一データ管理（ＵＤＭ：Ｕｎｉｆｉｅｄ  Ｄａｔａ  Ｍａｎａｇｅｍｅｎｔ）、認証サーバ機能（ＡＵＳＦ：Ａｕｔｏ  Ｓｅｒｖｅｒ  ｆｕｎｃｔｉｏｎ）などの他のネットワークエンティティを含むことができるが、本出願の実施形態はこれに限定されない。
【００４７】
理解すべきこととして、本明細書で用語「システム」と「ネットワーク」は常に本明細書で互換可能に使用される。本明細書では用語「及び／又は」は、関連するオブジェクトの関連関係を記述するためのものに過ぎず、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００４８】
図２は本出願の実施形態によるセルハンドオーバ方法２００の概略フローチャートである。図２に示されるように、前記方法２００は、ターゲットアクセスネットワーク装置によって実行されてもよく、前記ターゲットアクセスネットワークは図１に示されるアクセスネットワーク装置であってもよく、前記方法２００における端末装置は図１に示される端末装置であってもよく、前記方法２００におけるソースアクセスネットワーク装置は図１に示されるアクセスネットワーク装置であってもよく、前記方法２００は、５Ｇ通信システムにおけるＲＡＣＨ−ｌｅｓｓプロセスのセルハンドオーバに適用され、ここで、端末装置はソースセルからターゲットセルにハンドオーバする必要があり、前記ターゲットセルがマルチビーム通信をサポートする。前記方法２００は以下のコンテンツを含む。
【００４９】
２１０において、ターゲットアクセスネットワーク装置は前記ターゲットセルに対する前記端末装置の測定レポートを取得し、前記測定レポートがビーム測定情報を含む。
【００５０】
理解すべきこととして、ソースアクセスネットワーク装置はソースセルにサービスを提供し、ターゲットアクセスネットワーク装置はターゲットセルにサービスを提供する。
【００５１】
選択可能に、前記ビーム測定情報はビーム識別情報、及び前記ビーム識別情報によって識別されるビームの測定値を含む。
【００５２】
例えば、前記ビーム測定情報は以下のコンテンツを含む。
【００５３】
Ｂｅａｍ  Ｄ１の測定値がａであり、Ｂｅａｍ  Ｄ２の測定値がｂであり、Ｂｅａｍ  Ｄ３の測定値がｃであり、Ｂｅａｍ  Ｄ４の測定値がｄである。
【００５４】
選択可能に、前記ビーム測定情報は、前記端末装置によって測定された前記ターゲットセルのビームの測定値ソートリストを含む。
【００５５】
例えば、前記ビーム測定情報は以下のコンテンツを含む：
１）Ｂｅａｍ  Ｄ２
２）Ｂｅａｍ  Ｄ１
３）Ｂｅａｍ  Ｄ３
４）Ｂｅａｍ  Ｄ４
ターゲットアクセスネットワーク装置は上記情報に基づき、Ｂｅａｍ  Ｄ２の測定値＞Ｂｅａｍ  Ｄ１の測定値＞Ｂｅａｍ  Ｄ３の測定値＞Ｂｅａｍ  Ｄ４の測定値を知ることができ、又は
ターゲットアクセスネットワーク装置は上記情報に基づき、Ｂｅａｍ  Ｄ２の測定値＜Ｂｅａｍ  Ｄ１の測定値＜Ｂｅａｍ  Ｄ３の測定値＜Ｂｅａｍ  Ｄ４の測定値を知ることができる。
【００５６】
具体的には、前記ターゲットアクセスネットワーク装置は、Ｘｎインタフェースを介して、ソースアクセスネットワーク装置から送信された前記測定レポートを受信することができる。
【００５７】
例えば、前記ターゲットアクセスネットワーク装置はＸｎインタフェースを介して、前記ソースアクセスネットワーク装置から送信された前記測定レポートを含むハンドオーバリクエストを受信する。
【００５８】
選択可能に、ＸｎインタフェースはＸ２インタフェースであってもよい。
【００５９】
理解すべきこととして、Ｘｎインタフェースはソースアクセスネットワーク装置とターゲットアクセスネットワーク装置に接続される。
【００６０】
具体的には、前記ターゲットアクセスネットワーク装置はＮＧインタフェースを介して、コアネットワーク装置によってソースアクセスネットワーク装置から転送された前記測定レポートを受信することもできる。
【００６１】
例えば、前記コアネットワーク装置はＡＭＦであってもよい。
【００６２】
また、例えば、前記ターゲットアクセスネットワーク装置はＮＧインタフェースを介してＡＭＦ装置によって送信された前記測定レポートを含むハンドオーバ準備メッセージを受信する。
【００６３】
選択可能に、アクセスネットワーク装置とコアネットワーク装置のインタフェースもＳ１インタフェースであってもよい。
【００６４】
理解すべきこととして、ＮＧインタフェースはアクセスネットワーク装置（例えば、ソースアクセスネットワーク装置、又は、ターゲットアクセスネットワーク装置）とコアネットワーク装置に接続される。
【００６５】
２２０において、前記ターゲットアクセスネットワーク装置は、前記ビーム測定情報に基づき、前記端末装置が前記ターゲットセルにアクセスするための少なくとも１つのビーム、及び前記少なくとも１つのビームの各ビーム上のアップリンクアンライセンスリソースを構成する。
【００６６】
選択可能に、前記方法２００はさらに前記ターゲットアクセスネットワーク装置が、前記端末装置が使用する前記各ビーム上の前記アップリンクアンライセンスリソースの時間領域情報を構成することを含む。
【００６７】
選択可能に、前記時間領域情報は、ＳＦ番号、ＳＦＮ範囲、及び時間ウィンドウのうちの少なくとも１つを含む。
【００６８】
したがって、ターゲットアクセスネットワーク装置は、端末装置がターゲットセルにアクセスするための少なくとも１つのビームを構成し、少なくとも１つのビームのうちの各ビームにアップリンクアンライセンスリソースを構成することに基づき、端末装置が各ビームにおけるアップリンクアンライセンスリソースを使用する時間領域情報をさらに構成し、これにより、端末装置は、少なくとも１つのビームにおけるアンライセンスアップリンクリソース、ＲＲＣ再構成完了メッセージの送信及びＰＤＣＣＨの監視のためのビームをより効果的に利用することができる。
【００６９】
選択可能に、前記方法２００は、さらに前記ターゲットアクセスネットワーク装置がソースアクセスネットワーク装置へハンドオーバコマンドを送信し、前記ハンドオーバコマンドに前記少なくとも１つのビームの識別子、前記少なくとも１つのビームの各ビーム上の前記アップリンクアンライセンスリソース、及び前記端末装置が使用する前記少なくとも１つのビームの各ビーム上の前記アップリンクアンライセンスリソースの時間領域情報を含むことを含む。
【００７０】
選択可能に、前記ターゲットアクセスネットワーク装置は、前記端末装置が前記ターゲットセルにアクセスするための少なくとも１つのビームを構成する時に、前記端末装置の移動速度、及び前記端末装置によって測定された前記ターゲットセルのビームのカバレッジを組み合わせることもできる。
【００７１】
具体的には、前記ターゲットアクセスネットワーク装置は、前記ビーム測定情報、前記端末装置の移動速度、及び前記端末装置によって測定された前記ターゲットセルのビームのカバレッジに基づき、前記少なくとも１つのビームを構成する。
【００７２】
ターゲットアクセスネットワーク装置は、少なくとも１つのビームを構成する時に、ビーム測定情報、端末装置の移動速度、及び端末装置によって測定されたターゲットセルのビームのカバレッジを包括的に考慮することができ、これにより、ＲＲＣ再構成完了メッセージの送信及びＰＤＣＣＨの監視のためのビームをより正確に確定することができる。
【００７３】
したがって、本出願の実施形態のセルハンドオーバ方法では、ターゲットアクセスネットワーク装置は、ターゲットセルに対する端末装置の測定レポートにおけるビーム測定情報に基づき、端末装置がターゲットセルにアクセスするための少なくとも１つのビームを構成し、少なくとも１つのビームのうちの各ビームにアップリンクアンライセンスリソースを構成し、これにより、端末装置はＲＲＣ再構成完了メッセージの送信及びＰＤＣＣＨの監視のためのビーム、及びビームにおけるアンライセンスアップリンクリソースを取得することができ、さらに、セルハンドオーバプロセスにおける遅延を低減させ、５Ｇ  ＮＲ通信のサービス性能を満たすことができる。
【００７４】
図３は本出願の実施形態によるセルハンドオーバ方法３００の概略フローチャートである。図３に示されるように、前記方法３００は、ソースアクセスネットワーク装置によって実行されてもよく、前記ソースアクセスネットワークは図１に示されるアクセスネットワーク装置であってもよく、前記方法３００における端末装置は図１に示される端末装置であってもよく、前記方法３００におけるターゲットアクセスネットワーク装置は図１に示されるアクセスネットワーク装置であってもよく、前記方法３００は、５Ｇ通信システムにおけるＲＡＣＨ−ｌｅｓｓプロセスのセルハンドオーバに適用され、ここで、端末装置がソースセルからターゲットセルにハンドオーバする必要があり、前記ターゲットセルがマルチビーム通信をサポートする。前記方法３００は以下のコンテンツを含む。
【００７５】
３１０において、ソースアクセスネットワーク装置は、前記端末装置から前記ターゲットセルに対する第一の測定レポートを受信し、前記第一の測定レポートがビーム測定情報を含む。
【００７６】
３２０において、前記ソースアクセスネットワーク装置は、ターゲットアクセスネットワーク装置へ第二の測定レポートを送信し、又は、前記コアネットワーク装置が前記測定レポートを前記ターゲットアクセスネットワーク装置に転送するように、前記ソースアクセスネットワーク装置は、コアネットワーク装置へ前記第二の測定レポートを送信し、ここで、前記第二の測定レポートが前記第一の測定レポートであり、又は前記第二の測定レポートが前記端末装置によって測定された前記ターゲットセルのビームの測定値ソートリストを含む測定レポートである。
【００７７】
具体的には、前記ソースアクセスネットワーク装置は、前記ターゲットアクセスネットワーク装置へＸｎインタフェースを介して前記第二の測定レポートを含むハンドオーバリクエストを送信することができる。
【００７８】
具体的には、前記コアネットワーク装置がＮＧインタフェースを介して前記第二の測定レポートを含むハンドオーバ準備メッセージを前記ターゲットアクセスネットワーク装置へ送信するように、前記ソースアクセスネットワーク装置は、前記コアネットワーク装置へ前記第二の測定レポートを送信することができる。
【００７９】
選択可能に、前記方法３００はさらに、
前記ソースアクセスネットワーク装置は、前記ターゲットアクセスネットワーク装置によって送信されたハンドオーバコマンドを受信することであって、前記ハンドオーバコマンドは、少なくとも１つのビームの識別子、前記少なくとも１つのビームのうちの各ビームにおけるアップリンクアンライセンスリソース、及び前記端末装置が前記少なくとも１つのビームのうちの各ビームにおける前記アップリンクアンライセンスリソースを使用する時間領域情報を含み、ここで、前記少なくとも１つのビームと前記少なくとも１つのビームのうちの各ビームにおけるアップリンクアンライセンスリソースが前記ビーム測定情報に基づいて確定されることと、
前記ソースアクセスネットワーク装置が前記端末装置へ前記ハンドオーバコマンドを送信することと、を含む。
【００８０】
選択可能に、前記時間領域情報は、サブフレーム（ＳＦ）番号、システフレーム番号（ＳＦＮ）範囲、及び時間ウィンドウのうちの少なくとも１つを含む。
【００８１】
選択可能に、前記ビーム測定情報はビーム識別情報、及び前記ビーム識別情報によって識別されるビームの測定値を含む。
【００８２】
選択可能に、前記ソースアクセスネットワーク装置が前記端末装置から前記第一の測定レポートを受信する前に、前記方法３００は、さらに、
前記ソースアクセスネットワーク装置が測定構成情報を前記端末装置に送信し、前記測定構成情報が前記ターゲットセルを測定し、前記第一の測定レポートを報告するように前記端末装置に指示することを含む。
【００８３】
理解すべきこととして、上記セルハンドオーバ方法３００が方法２００における対応するステップに対応し、上記セルハンドオーバ方法３００におけるステップについてセルハンドオーバ方法２００における対応するステップの説明を参照することができ、簡潔にするために、ここでは説明を省略する。
【００８４】
したがって、本出願の実施形態のセルハンドオーバ方法では、ソースアクセスネットワーク装置は、ターゲットアクセスネットワーク装置へ第二の測定レポートを送信し、ターゲットアクセスネットワーク装置は、第二の測定レポートにおけるビームの測定情報又は端末装置によって測定されたターゲットセルのビームの測定値ソートリストに基づき、端末装置がターゲットセルにアクセスするための少なくとも１つのビームを構成し、少なくとも１のビームのうちの確定ビームにアップリンクアンライセンスリソースを構成し、これにより、端末装置は、ＲＲＣ再構成完了メッセージの送信及びＰＤＣＣＨの監視のためのビーム、及びビームにおけるアンライセンスアップリンクリソースを取得することができ、さらに、セルハンドオーバプロセスにおける遅延を低減させ、５Ｇ  ＮＲ通信のサービス性能を満たすことができる。
【００８５】
図４は本出願の実施形態によるセルハンドオーバ方法４００の概略フローチャートである。図４に示されるように、前記方法４００は、端末装置によって実行されてもよく、前記端末装置は図１に示される端末装置であり、前記方法４００におけるソースアクセスネットワーク装置は、図１に示されるアクセスネットワーク装置であってもよく、前記方法４００は、５Ｇ通信システムにおけるＲＡＣＨ−ｌｅｓｓプロセスのセルハンドオーバに適用され、ここで、端末装置がソースセルからターゲットセルにハンドオーバする必要があり、前記ターゲットセルがマルチビーム通信をサポートする。前記方法４００は以下のコンテンツを含む。
【００８６】
４１０において、前記端末装置は、前記ターゲットセルを測定し、前記ターゲットセルに対する測定レポートを生成し、前記測定レポートがビーム測定情報を含む。
【００８７】
４２０において、前記端末装置は、ソースアクセスネットワーク装置へ前記測定レポートを送信する。
【００８８】
４３０において、前記端末装置は、前記ソースアクセスネットワーク装置によって送信されたハンドオーバコマンドを受信し、前記ハンドオーバコマンドは、少なくとも１つのビームの識別子、前記少なくとも１つのビームのうちの各ビームにおけるアップリンクアンライセンスリソース、及び前記端末装置が前記少なくとも１つのビームのうちの各ビームにおける前記アップリンクアンライセンスリソースを使用する時間領域情報を含み、ここで、前記少なくとも１つのビームと前記少なくとも１つのビームのうちの各ビームにおけるアップリンクアンライセンスリソースが前記ビーム測定情報に基づいて確定される。
【００８９】
４４０において、前記端末装置は、前記ハンドオーバコマンドに応じて、前記少なくとも１つのビームでＲＲＣ再構成完了メッセージを送信し、及び／又は、前記少なくとも１つのビームでＰＤＣＣＨを監視する。
【００９０】
選択可能に、前記ビーム測定情報はビーム識別情報、及び前記ビーム識別情報によって識別されるビームの測定値を含む。
【００９１】
選択可能に、前記時間領域情報は、ＳＦ番号、ＳＦＮ範囲、及び時間ウィンドウのうちの少なくとも１つを含む。
【００９２】
理解すべきこととして、上記セルハンドオーバ方法４００が方法２００における対応するステップに対応し、上記セルハンドオーバ方法４００におけるステップについてセルハンドオーバ方法２００における対応するステップの説明を参照することができ、簡潔にするために、ここでは説明を省略する。
【００９３】
したがって、本出願の実施形態のセルハンドオーバ方法では、端末装置は、ハンドオーバコマンドに含まれる、端末装置がターゲットセルにアクセスするための少なくとも１つのビームに応じて、少なくとも１つのビームのうちの各ビームにアップリンクアンライセンスリソースを構成し、これにより、ＲＲＣ再構成完了メッセージの送信及びＰＤＣＣＨの監視のためのビーム、及びビームにおけるアンライセンスアップリンクリソースを取得することができ、さらに、セルハンドオーバプロセスにおける遅延を低減させ、５Ｇ  ＮＲ通信のサービス性能を満たすことができる。
【００９４】
選択可能に、一つの実施形態として、図５に示すように、端末装置４０はソースセルからターゲットセルにハンドオーバし、ソースアクセスネットワーク装置２０はソースセルにサービスを提供し、ターゲットアクセスネットワーク装置３０はターゲットセルにサービスを提供し、ターゲットセルがマルチビーム通信をサポートする。具体的なプロセスは方法５００に示される。
【００９５】
５０１において、前記ソースアクセスネットワーク装置２０は測定構成情報を前記端末装置４０に送信し、前記測定構成情報が前記ターゲットセルを測定し、前記ターゲットセルに対する測定レポートを報告するように前記端末装置４０に指示する。
【００９６】
５０２において、前記端末装置４０は、前記ターゲットセルを測定し、前記ターゲットセルに対する測定レポートを生成し、前記測定レポートがビーム測定情報を含む。
【００９７】
例えば、図５に示すように、端末装置４０は、前記ターゲットセルを測定し、前記測定レポートがＢｅａｍ  Ｄ１とＢｅａｍ  Ｄ２の測定情報を含む。
【００９８】
５０３において、前記端末装置４０は、ソースアクセスネットワーク装置２０へ前記測定レポートを送信する。
【００９９】
５０４において、ソースアクセスネットワーク装置２０は、ターゲットアクセスネットワーク装置３０へ前記測定レポートを転送する。
【０１００】
５０５において、ソースアクセスネットワーク装置２０は、前記ビーム測定情報に含まれる、前記端末装置によって測定された前記ターゲットセルのビームの測定値をソートし、ソートリストを生成し、ソースアクセスネットワーク装置２０は、ターゲットアクセスネットワーク装置３０へソートリストを含む測定レポートを送信する。
【０１０１】
理解すべきこととして、ソースアクセスネットワーク装置２０は、上記ステップ５０４又はステップ５０５を実行することができる。
【０１０２】
具体的には、前記ターゲットアクセスネットワーク装置３０は、ソースアクセスネットワーク装置２０から送信された前記測定レポートをＸｎインタフェースを介して受信することができる。
【０１０３】
例えば、前記ターゲットアクセスネットワーク装置３０は、前記ソースアクセスネットワーク装置２０から送信された、Ｘｎインタフェースを介して前記測定レポートを含むハンドオーバリクエストを受信する。
【０１０４】
選択可能に、ＸｎインタフェースはＸ２インタフェースであってもよい。
【０１０５】
理解すべきこととして、Ｘｎインタフェースは、ソースアクセスネットワーク装置２０とターゲットアクセスネットワーク装置３０に接続される。
【０１０６】
具体的には、前記ターゲットアクセスネットワーク装置３０はＮＧインタフェースを介してコアネットワーク装置によってソースアクセスネットワーク装置２０から転送された前記測定レポートを受信することもできる。
【０１０７】
例えば、前記コアネットワーク装置はＡＭＦであってもよい。
【０１０８】
また、例えば、前記ターゲットアクセスネットワーク装置３０は、ＮＧインタフェースを介してＡＭＦ装置によって送信された前記測定レポートを含むハンドオーバ準備メッセージを受信する。
【０１０９】
選択可能に、アクセスネットワーク装置とコアネットワーク装置のインタフェースもＳ１インタフェースであってもよい。
【０１１０】
理解すべきこととして、ＮＧインタフェースはアクセスネットワーク装置（例えば、ソースアクセスネットワーク装置、又は、ターゲットアクセスネットワーク装置）とコアネットワーク装置に接続される。
【０１１１】
５０６において、前記ターゲットアクセスネットワーク装置３０は前記ターゲットセルに対する前記端末装置４０の測定レポートを取得し、前記測定レポートがビーム測定情報を含む。
【０１１２】
５０７において、前記ターゲットアクセスネットワーク装置３０は、前記ビーム測定情報に基づき、前記端末装置が前記ターゲットセルにアクセスするための少なくとも１つのビーム、及び前記少なくとも１つのビームの各ビーム上のアップリンクアンライセンスリソースを構成する。
【０１１３】
選択可能に、前記ターゲットアクセスネットワーク装置３０はさらに前記端末装置４０が前記各ビームにおける前記アップリンクアンライセンスリソースを使用する時間領域情報を構成することができる。
【０１１４】
選択可能に、前記時間領域情報は、ＳＦ番号、ＳＦＮ範囲、及び時間ウィンドウのうちの少なくとも１つを含む。
【０１１５】
５０８において、前記ターゲットアクセスネットワーク装置３０は、ソースアクセスネットワーク装置２０へハンドオーバコマンドを送信する。
【０１１６】
前記ハンドオーバコマンドには前記少なくとも１つのビームの識別子、前記少なくとも１つのビームの各ビーム上の前記アップリンクアンライセンスリソース、及び前記端末装置が使用する前記少なくとも１つのビームの各ビーム上の前記アップリンクアンライセンスリソースの時間領域情報を含む。
【０１１７】
５０９において、前記ソースアクセスネットワーク装置２０は前記ターゲットアクセスネットワーク装置３０から受信された前記ハンドオーバコマンドを前記端末装置４０に転送する。
【０１１８】
５１０において、前記端末装置４０は、前記ハンドオーバコマンドに応じて、前記少なくとも１つのビームでＲＲＣ再構成完了メッセージを送信し、及び／又は、前記少なくとも１つのビームでＰＤＣＣＨを監視する。
【０１１９】
図６は本出願の実施例によるアクセスネットワーク装置６００の概略ブロック図である。図６に示すように、前記アクセスネットワーク装置６００は、５Ｇ通信システムでのＲＡＣＨ−ｌｅｓｓフローのセルハンドオーバに適用され、端末装置がソースセルからターゲットセルにハンドオーバする必要があり、前記ターゲットセルがマルチビーム通信をサポートする。前記アクセスネットワーク装置６００は、通信ユニット６１０と処理ユニット６２０を備え、前記通信ユニット６１０が前記ターゲットセルに対する前記端末装置の測定レポートを取得するように構成され、前記測定レポートがビーム測定情報を含み、前記処理ユニット６２０が前記ビーム測定情報に基づき、前記端末装置が前記ターゲットセルにアクセスするための少なくとも１つのビーム、及び前記少なくとも１つのビームの各ビーム上のアップリンクアンライセンスリソースを構成するように構成される。
【０１２０】
理解すべきこととして、前記アクセスネットワーク６００は方法２００におけるターゲットアクセスネットワーク装置に対応してもよく、前記方法２００におけるターゲットアクセスネットワーク装置で実現される操作を実現することができ、簡潔にするために、ここで説明を省略する。
【０１２１】
図７は本出願の実施例によるアクセスネットワーク装置７００の概略ブロック図である。図７に示すように、前記アクセスネットワーク装置７００は、５Ｇ通信システムでのＲＡＣＨ−ｌｅｓｓフローのセルハンドオーバに適用され、端末装置がソースセルからターゲットセルにハンドオーバする必要があり、前記ターゲットセルがマルチビーム通信をサポートする。前記アクセスネットワーク装置７００は、通信ユニット７１０を備え、前記通信ユニット７１０が前記端末装置から前記ターゲットセルに対する第一の測定レポートを受信するように構成され、前記第一の測定レポートがビーム測定情報を含み、前記通信ユニット７１０がさらにターゲットアクセスネットワーク装置へ第二の測定レポートを送信するように構成され、又は、前記コアネットワーク装置が前記測定レポートを前記ターゲットアクセスネットワーク装置に転送するように、コアネットワーク装置へ前記第二の測定レポートを送信するように構成され、ここで、前記第二の測定レポートが前記第一の測定レポートであり、又は前記第二の測定レポートが前記端末装置によって測定された前記ターゲットセルのビームの測定値ソートリストを含む測定レポートである。
【０１２２】
理解すべきこととして、前記アクセスネットワーク７００は方法３００におけるソースアクセスネットワーク装置に対応してもよく、前記方法３００におけるソースアクセスネットワーク装置で実現される操作を実現することができ、簡潔にするために、ここで説明を省略する。
【０１２３】
図８は本出願の実施例による端末装置８００の概略ブロック図である。図８に示すように、前記端末装置８００は、５Ｇ通信システムでのＲＡＣＨ−ｌｅｓｓフローのセルハンドオーバに適用され、端末装置がソースセルからターゲットセルにハンドオーバする必要があり、前記ターゲットセルがマルチビーム通信をサポートする。前記端末装置８００は、処理ユニット８１０と通信ユニット８２０を備え、前記処理ユニット８１０が前記ターゲットセルを測定し、前記ターゲットセルに対応する測定レポートを生成するように構成され、前記測定レポートがビーム測定情報を含み、前記通信ユニット８２０がソースアクセスネットワーク装置へ前記測定レポートを送信するように構成され、前記通信ユニット８２０はさらに前記ソースアクセスネットワーク装置から送信されたハンドオーバコマンドを受信するように構成され、前記ハンドオーバコマンドが少なくとも１つのビームの識別子、前記少なくとも１つのビームのうちの各ビームにおけるアップリンクアンライセンスリソースと前記端末装置が前記少なくとも１つのビームのうちの各ビームにおける前記アップリンクアンライセンスリソースを使用する時間領域情報を含み、前記少なくとも１つのビームと前記少なくとも１つのビームのうちの各ビームにおけるアップリンクアンライセンスが前記ビーム測定情報に基づいて確定され、前記処理ユニット８１０はさらに前記ハンドオーバコマンドに応じて、前記少なくとも１つのビームでＲＲＣ再構成完了メッセージを送信し、及び／又は、前記少なくとも１つのビームでＰＤＣＣＨを監視するように構成される。
【０１２４】
図９は本出願の実施例によるシステムチップ９００の概略構造図である。図９のシステムチップ９００は内部通信接続線を介して接続できる入力インタフェース９０１、出力インタフェース９０２、プロセッサ９０３とメモリ９０４を備え、前記プロセッサ９０３が前記メモリ９０４でのコードを実行するように構成される。
【０１２５】
選択可能に、前記コードが実行される場合、前記プロセッサ９０３は方法２００におけるターゲットアクセスネットワーク装置によって実行される方法を実現する。簡潔にするために、ここでは説明を省略する。
【０１２６】
選択可能に、前記コードが実行される場合、前記プロセッサ９０３は方法３００におけるソースアクセスネットワーク装置によって実行される方法を実現する。簡潔にするために、ここでは説明を省略する。
【０１２７】
選択可能に、前記コードが実行される場合、前記プロセッサ９０３は方法４００おける端末装置によって実行される方法を実現する。簡潔にするために、ここでは説明を省略する。
【０１２８】
図１０は本出願の実施例による通信装置１０００の概略ブロック図である。図１０に示すように、前記通信装置１０００はプロセッサ１０１０とメモリ１０２０を備える。ここで、前記メモリ１０２０はプログラムコードを記憶することができ、前記プロセッサ１０１０は前記メモリ１０２０に記憶されたプログラムコードを実行することができる。
【０１２９】
選択可能に、図１０に示すように、前記通信装置１０００は送受信機１０３０を備えることができ、プロセッサ１０１０は外部と通信するように送受信機１０３０を制御することができる。
【０１３０】
選択可能に、前記プロセッサ１０１０はメモリ１０２０に記憶されたプログラムコードを呼び出し、方法２００におけるターゲットアクセスネットワーク装置の対応する操作を実行することができ、簡潔にするために、説明を省略する。
【０１３１】
選択可能に、前記プロセッサ１０１０はメモリ１０２０に記憶されたプログラムコードを呼び出し、方法３００におけるソースアクセスネットワーク装置の対応する操作を実行することができ、簡潔にするために、説明を省略する。
【０１３２】
選択可能に、前記プロセッサ１０１０はメモリ１０２０に記憶されたプログラムコードを呼び出し、方法４００における端末装置の対応する操作を実行することができ、簡潔にするために、説明を省略する。
【０１３３】
理解すべきものとして、本出願の実施例におけるプロセッサは信号処理機能を有する集積回路チップであってもよい。実施プロセスでは、上記方法の実施例における各ステップは、プロセッサ内のハードウェアの集積論理回路又はソフトウェアの形のコマンドによって完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本出願の実施例において開示される各方法、ステップ及び論理ブロック図を実現又は実行することができる。汎用プロセッサはマイクロプロセッサであってもよく、又は前記プロセッサはいずれかの従来のプロセッサなどであってもよい。本出願の実施例と組み合わせて開示された方法のステップはハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。前記記憶媒体はメモリに位置し、プロセッサはメモリにおける情報を読み取り、そのハードウェアと組み合わせて上記方法のステップを完了する。
【０１３４】
本出願の実施例におけるメモリは揮発性記憶装置又は不揮発性記憶装置であってもよく、又は揮発性記憶装置及び不揮発性記憶装置両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲ  ＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきこととして、本明細書に記載のシステムと方法のメモリはこれらといずれかの他の適切なタイプのメモリを含むことを図るがこれらに限定されない。
【０１３５】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウェア又はソフトウェアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１３６】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０１３７】
本出願が提供する、いくつかの実施例では、開示されるシステム、装置及び方法は、他の方式により実現されてもよいと理解すべきである。例えば、上述した装置の実施例は例示的なものに過ぎず、例えば、前記ユニットの区分は、論理機能的区分に過ぎず、実際に実施する時に他の区分方式もあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインタフェース、装置又はユニットを介する間接的結合又は通信接続であってもよく、電気的、機械的又は他の形態であってもよい。
【０１３８】
分離部材として説明された前記ユニットは物理的に分離するものであってもよく又は物理的に分離するものでなくてもよく、ユニットとして表示された部材は物理ユニットであってもよく又は物理ユニットでなくてもよく、すなわち一つの箇所に位置してもよく、又は複数のネットワーク要素に分布してもよい。実際のニーズに応じてそのうちの一部又は全てのユニットを選択して本実施例の解決策の目的を達成することができる。
【０１３９】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０１４０】
前記機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は前記技術的解決策の部分がソフトウェア製品の形で実現されてもよく、前記コンピュータソフトウェア製品がコンピュータ装置（パーソナルコンピュータ、サーバ、又はネットワークデバイス等であってもよい）に本出願の様々な実施例に記載された方法の全て又は一部のステップを実行させるためのいくつかのコマンドを含む、記憶媒体に記憶される。前記憶媒体はＵＳＢフラッシュディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１４１】
上記は、本出願の実施例の具体的な実施形態であるが、本出願の保護範囲はこれに制限されず、本出願で開示された技術範囲内で当業者に明らかなあらゆる変形または置換は、本出願の保護範囲内に含まれるべきである。従って、本出願の保護範囲は請求項の保護範囲に準拠するべきである。
【図１】
2021514567.tif 000003
【図２】
2021514567.tif 000004
【図３】
2021514567.tif 000005
【図４】
2021514567.tif 000006
【図５】
2021514567.tif 000007
【図６】
2021514567.tif 000008
【図７】
2021514567.tif 000009
【図８】
2021514567.tif 000010
【図９】
2021514567.tif 000011
【図１０】
2021514567.tif 000012
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
セルハンドオーバ方法であって、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートし、
前記方法は、
ターゲットアクセスネットワーク装置が前記ターゲットセルに対する前記端末装置の測定レポートを取得することであって、前記測定レポートがビーム測定情報を含むことと、
前記ターゲットアクセスネットワーク装置が前記ビーム測定情報に基づき、前記端末装置が前記ターゲットセルにアクセスするための少なくとも１つのビーム、及び前記少なくとも１つのビームの各ビーム上のアップリンクアンライセンスリソースを構成することと、を含むことを特徴とする前記セルハンドオーバ方法。
【請求項２】
前記方法はさらに、
前記ターゲットアクセスネットワーク装置は、前記端末装置が使用する前記各ビーム上の前記アップリンクアンライセンスリソースの時間領域情報を構成することを含むことを特徴とする
請求項１に記載の方法。
【請求項３】
前記時間領域情報は、サブフレーム（ＳＦ）番号、システムフレーム番号（ＳＦＮ）範囲、及び時間ウィンドウのうちの少なくとも１つを含むことを特徴とする
請求項２に記載の方法。
【請求項４】
前記方法はさらに、
前記ターゲットアクセスネットワーク装置がソースアクセスネットワーク装置へハンドオーバコマンドを送信することであって、前記ハンドオーバコマンドは、前記少なくとも１つのビームの識別子、前記少なくとも１つのビームの各ビーム上の前記アップリンクアンライセンスリソース、及び前記端末装置が使用する前記少なくとも１つのビームの各ビーム上の前記アップリンクアンライセンスリソースの時間領域情報を含むことを含むことを特徴とする
請求項２又は３に記載の方法。
【請求項５】
前記ビーム測定情報はビーム識別情報、及び前記ビーム識別情報によって識別されるビームの測定値を含むことを特徴とする
請求項１〜４のいずれか一項に記載の方法。
【請求項６】
前記ターゲットアクセスネットワーク装置が前記ターゲットセルに対する前記端末装置の測定レポートを取得することは、
前記ターゲットアクセスネットワーク装置がＮＧインタフェースを介して、コアネットワーク装置によってソースアクセスネットワーク装置から転送された前記測定レポートを受信することを含むことを特徴とする
請求項１〜５のいずれか一項に記載の方法。
【請求項７】
セルハンドオーバ方法であって、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートし、
前記方法は、
前記端末装置が前記ターゲットセルを測定し、前記ターゲットセルに対する測定レポートを生成することであって、前記測定レポートがビーム測定情報を含むことと、
前記端末装置がソースアクセスネットワーク装置へ前記測定レポートを送信することと、
前記端末装置が前記ソースアクセスネットワーク装置によって送信されたハンドオーバコマンドを受信することであって、前記ハンドオーバコマンドは、少なくとも１つのビームの識別子、前記少なくとも１つのビームのうちの各ビームにおけるアップリンクアンライセンスリソース、及び前記端末装置が前記少なくとも１つのビームのうちの各ビームにおける前記アップリンクアンライセンスリソースを使用する時間領域情報を含み、前記少なくとも１つのビームと前記少なくとも１つのビームのうちの各ビームにおけるアップリンクアンライセンスリソースが前記ビーム測定情報に基づいて確定されることと、
前記端末装置が前記ハンドオーバコマンドに応じて、前記少なくとも１つのビームで無線リソース制御（ＲＲＣ）再構成完了メッセージを送信し、及び／又は、前記少なくとも１つのビームでＰＤＣＣＨを監視することと、を含むことを特徴とする前記セルハンドオーバ方法。
【請求項８】
アクセスネットワーク装置であって、第５世代移動通信技術（５Ｇ）通信システムにおけるランダムアクセスチャネルレス（ＲＡＣＨ−ｌｅｓｓ）フローのセルハンドオーバに適用され、端末装置がソースセルからターゲットセルにハンドオーバする必要があり、前記ターゲットセルがマルチビーム通信をサポートし、
前記アクセスネットワーク装置は、
前記ターゲットセルに対する前記端末装置の測定レポートを取得するように構成され、前記測定レポートがビーム測定情報を含む通信ユニットと、
前記ビーム測定情報に基づき、前記端末装置が前記ターゲットセルにアクセスするための少なくとも１つのビーム、及び前記少なくとも１つのビームの各ビーム上のアップリンクアンライセンスリソースを構成するように構成される処理ユニットと、を備えることを特徴とする前記アクセスネットワーク装置。
【請求項９】
前記処理ユニットはさらに前記端末装置が使用する前記各ビーム上の前記アップリンクアンライセンスリソースの時間領域情報を構成するように構成されることを特徴とする
請求項８に記載のアクセスネットワーク装置。
【請求項１０】
前記時間領域情報は、サブフレーム（ＳＦ）番号、システムフレーム番号（ＳＦＮ）範囲、及び時間ウィンドウのうちの少なくとも１つを含むことを特徴とする
請求項９に記載のアクセスネットワーク装置。
【請求項１１】
前記通信ユニットはさらにソースアクセスネットワーク装置へハンドオーバコマンドを送信するように構成され、前記ハンドオーバコマンドに前記少なくとも１つのビームの識別子、前記少なくとも１つのビームの各ビーム上の前記アップリンクアンライセンスリソース、及び前記端末装置が使用する前記少なくとも１つのビームの各ビーム上の前記アップリンクアンライセンスリソースの時間領域情報を含むことを特徴とする
請求項９又は１０に記載のアクセスネットワーク装置。
【請求項１２】
前記ビーム測定情報はビーム識別情報、及び前記ビーム識別情報によって識別されるビームの測定値を含むことを特徴とする
請求項９〜１１のいずれか一項に記載のアクセスネットワーク装置。
【請求項１３】
前記通信ユニットはさらに、
Ｘｎインタフェースを介して、ソースアクセスネットワーク装置から送信された前記測定レポートを受信するように構成されることを特徴とする
請求項９〜１２のいずれか一項に記載のアクセスネットワーク装置。
【請求項１４】
前記通信ユニットはさらに、
ＮＧインタフェースを介して、コアネットワーク装置によってソースアクセスネットワーク装置から転送された前記測定レポートを受信するように構成されることを特徴とする
請求項９〜１３のいずれか一項に記載のアクセスネットワーク装置。
【請求項１５】
端末装置であって、第５世代移動通信技術（５Ｇ）通信システムにおけるランダムアクセスチャネルレス（ＲＡＣＨ−ｌｅｓｓ）フローのセルハンドオーバに適用され、前記端末装置がソースセルからターゲットセルにハンドオーバする必要があり、前記ターゲットセルがマルチビーム通信をサポートし、
前記端末装置は、
前記ターゲットセルを測定し、前記ターゲットセルに対する測定レポートを生成するように構成され、前記測定レポートがビーム測定情報を含む処理ユニットと、
ソースアクセスネットワーク装置へ前記測定レポートを送信するように構成される通信ユニットと、を備え、
前記通信ユニットはさらに前記ソースアクセスネットワーク装置によって送信されたハンドオーバコマンドを受信するように構成され、前記ハンドオーバコマンドは、少なくとも１つのビームの識別子、前記少なくとも１つのビームのうちの各ビームにおけるアップリンクアンライセンスリソース、及び前記端末装置が前記少なくとも１つのビームのうちの各ビームにおける前記アップリンクアンライセンスリソースを使用する時間領域情報を含み、前記少なくとも１つのビームと前記少なくとも１つのビームのうちの各ビームにおけるアップリンクアンライセンスリソースが前記ビーム測定情報に基づいて確定され、
前記処理ユニットはさらに前記ハンドオーバコマンドに応じて、前記少なくとも１つのビームで無線リソース制御（ＲＲＣ）再構成完了メッセージを送信し、及び／又は、前記少なくとも１つのビームでダウンリンク制御チャネル（ＰＤＣＣＨ）を監視するように構成されることを特徴とする前記端末装置。
【国際調査報告】
2021514567.tif 000013
2021514567.tif 000014
2021514567.tif 000015
2021514567.tif 000016